(57)【要約】【課題】子供や高齢者または給湯栓をはじめて操作する者に給湯栓からの止水の直接確認がおこなえないために誤操作するという問題を改善する給湯装置を提供する。【解決手段】流量センサー１０１と水量弁１１１と加熱器１０３とバイパス回路１１４と制御器１０７とリモコン１０８を備え、リモコン１０８のお湯張り運転指示による給湯栓１０６から浴槽へのお湯張り完了時に加熱器１０３を停止し水量弁１１１が加熱器１０３側通水を止めバイパス回路１１４側の制御された通水とすることで給湯栓１０６に通水があることから給湯栓１０６の閉止が確認できる。【選択図】  図２
2004170019.tif 000002
【特許請求の範囲】
【請求項１】
給湯回路を流れる水の流量を検出する流量センサーと、給湯回路を流れる水を加熱する加熱器と、給湯回路の水を止水および流量を制御することのできる水量弁と、使用者が浴槽へのお湯張りの開始と停止を指示するお湯張りスイッチとお湯張りによるふろ湯量を設定するスイッチとお湯張りを含めた加熱運転の開始と停止を指示する運転スイッチを有するリモコンと、お湯張りスイッチによりお湯張りを開始し使用者がお風呂の給湯栓を開きお湯張りを開始した時点からの前記流量センサーの流量の累積量を演算するとともに前記加熱器を動作させ流量の累積量がふろ湯量の設定値に達した時あるいは使用者がリモコンでお湯張りスイッチによりお湯張りを停止した時または運転スイッチで運転を停止した時に前記加熱器の加熱を停止し前記水量弁を動作させて給湯回路の流量を制御して水の通水をふろ湯量の設定湯量に応じた流量の累積分継続しこの継続終了までの間に使用者が給湯栓を閉めた場合にはお湯張り終了処理を行い、通水が継続した場合には前記水量弁を止水し使用者が給湯栓の閉止操作とお湯張りスイッチの停止操作または運転の停止操作を行ったときに前記水量弁を止水状態から開状態とする制御手段を付加された制御器で構成される給湯装置。
【請求項２】
給湯回路を加熱器と前記加熱器をバイパスするバイパス回路で構成し、前記加熱器で加熱された水と前記バイパス回路の水を個別に止水および個別に流量を制御し混合することのできる水量弁と、リモコンの運転スイッチが加熱運転の開始を指示したときに前記水量弁の加熱器側とバイパス回路側の両方の止水を解除し通水状態としリモコンの運転スイッチが加熱運転の停止を指示したときに前記水量弁の加熱器側を止水し前記バイパス回路側のみの通水を可能とする制御手段と、お湯張りスイッチによりお湯張りを開始し使用者がお風呂の給湯栓を開きお湯張りを開始した時点からの流量センサーの流量の累積量を演算するとともに前記加熱器を動作させ流量の累積量がふろ湯量の設定値に達した時あるいは使用者がリモコンでお湯張りスイッチによりお湯張りを停止した時または運転スイッチで運転を停止した時に前記加熱器の加熱を停止し前記水量弁を動作させて加熱器側を止水し、前記バイパス回路の流量を制御した水の通水をふろ湯量の設定湯量に応じた流量の累積分継続しこの継続終了までの間に使用者が給湯栓を閉めた場合にはお湯張り終了処理を行い、通水が継続した場合には前記バイパス回路側の水量弁も止水し使用者がお湯張りスイッチの停止操作と給湯栓の閉止操作を行ったときに水量弁の加熱器側給湯回路および前記バイパス回路を止水状態から開状態とする制御手段を付加された制御器で構成される請求項１記載の給湯装置。
【請求項３】
お湯張り開始時に流量センサーの流量が安定した状態を学習し、この学習値を越える流量の積算分を使用者が設定したふろ湯量に付加してお湯張りを行うことを付加した制御器で構成される請求項１又は２記載の給湯装置。
【請求項４】
運転スイッチが加熱運転開始であって使用者が給湯栓を開き加熱運転を連続使用しているときに規定時間を経過すると加熱運転を停止し水量弁の加熱器側を止水しバイパス回路側のみの通水を制限を加えて可能とし、さらに給湯栓を止水せずに通水を連続した時に規定時間を経過すると水量弁のバイパス回路側も止水する制御手段を付加された制御器で構成される請求項３記載の給湯装置。
【請求項５】
使用者が運転スイッチで加熱運転停止指示中に給湯栓を開いて給湯回路に水を通水したときに、連続通水が規定時間を経過すると水量弁のバイパス回路側も止水することで給湯栓からの通水を停止するとともにリモコンの表示部に現象の表示を行い、さらにリモコンで解除操作が行われた時に水量弁のバイパス回路側を止水状態から開状態としリモコンの表示部の現象の表示をやめる制御手段を付加された制御器で構成される請求項４記載の給湯装置。
【請求項６】
バイパス回路にこの給水回路を流れる水の流量を検出する流量センサーとこの給水回路の通水を止水できる閉止弁と給水回路の流量センサーが連続して規定流量以上である状態が規定時間を経過したときに閉止弁を閉じリモコンの表示部に現象の表示を行い、さらにリモコンで解除操作が行われた時に閉止弁を開けリモコンの表示部の現象の表示をやめる制御手段を付加された制御器で構成される請求項５記載の給湯装置。
【発明の詳細な説明】
【０００１】
【発明の属する技術分野】
本発明は、台所や浴室の給湯栓に給湯を行う給湯装置に関するものである。
【０００２】
【従来の技術】
従来の給湯装置としては、お湯張り終了時やお湯張り停止時や運転停止時に給湯回路の通水を閉止し一定時間毎に規定量の通水を給湯栓の閉止まで繰り返しているものがあった。図４に従来の給湯装置を示す。
【０００３】
図４において、止水弁１０２は加熱器１０３を通り給湯回路１０５から浴槽の給湯栓１０６へのお湯張りの給湯を開閉していた。流量センサー１０１で流量を検出しリモコン１０８のお湯張りスイッチ１０４でお湯張りが指示されるとふろ湯量スイッチ１０９で設定されたふろ湯量と流量の累積値の比較を制御器１０７で行い設定湯量に流量の累積値が達した時やリモコンでお湯張りが停止指示された時やリモコンの運転スイッチ１１０で運転が停止指示された時に制御器１０７は止水弁１０２を閉止し一定時間毎に止水弁１０２を開けて所定量を通水していた。この通水時に通水がなければ給湯栓が閉められたと判断し、止水弁を開き通常動作可能状態に戻るようになっていた（例えば、特許文献１参照。）。
【０００４】
【特許文献１】
特開平１０−１９７０５０号公報（図１）
【０００５】
【発明が解決しようとする課題】
しかしながら、前記従来の構成では、給湯栓からのお湯張り完了時やリモコンでお湯張りが停止指示された時やリモコンで運転が停止指示された時に制御器は止水弁を閉止し一定時間毎に止水弁を開けて所定量を通水しているため、給湯栓を閉める時には止水弁が閉じているため通水がないため使用者が給水栓の閉止操作を行った確認ができないという問題を有している。また閉止確認が閉止の操作時点と時間的にずれるために閉止の検知が遅れるという問題点を有している。
【０００６】
子供や高齢者または給湯栓をはじめて操作する者に取っては給湯栓からの止水の直接確認もって給湯栓の閉止を判断するため止水された給湯栓を閉止するときに、開栓側にまわしてしまったり完全閉止までまわしきらない状態で操作を完了したと誤認識して給湯栓から移動してしまうことになる。給湯装置が一定時間毎の通水での確認で給湯栓の未閉止を検知するため再度閉止操作を行わなければならないが、この時点では給湯栓を離れているため再操作に労力を要する。また操作を行った本人は閉止したと認識しているために給湯装置の異常と認識してしまうことが発生する。
【０００７】
本発明は、前記従来の課題を解決するもので子供や高齢者または給湯栓をはじめて操作する者に給湯栓からの止水の直接確認が行える給湯装置を提供することを目的とする。
【０００８】
【発明を解決するための手段】
前記従来の課題を解決するために、本発明の給湯装置は、給湯回路を流れる水の流量を検出する流量センサーと、給湯回路を流れる水を加熱する加熱器と、給湯回路の水を止水および流量を制御することのできる水量弁と、使用者が浴槽へのお湯張りの開始と停止を指示するお湯張りスイッチとお湯張りによるふろ湯量を設定するスイッチとお湯張りを含めた加熱運転の開始と停止を指示する運転スイッチを有するリモコンと、お湯張りスイッチによりお湯張りを開始し使用者がお風呂の給湯栓を開きお湯張りを開始した時点からの前記流量センサーの流量の累積量を演算するとともに前記加熱器を動作させ流量の累積量がふろ湯量の設定値に達した時あるいは使用者がリモコンでお湯張りスイッチによりお湯張りを停止した時または運転スイッチで運転を停止した時に前記加熱器の加熱を停止し前記水量弁を動作させて給湯回路の流量を制御して水の通水をふろ湯量の設定湯量に応じた流量の累積分継続しこの継続終了までの間に使用者が給湯栓を閉めた場合にはお湯張り終了処理を行い、通水が継続した場合には前記水量弁を止水し使用者が給湯栓の閉止操作とお湯張りスイッチの停止操作または運転の停止操作を行ったときに前記水量弁を止水状態から開状態とする制御器をもつものである。
【０００９】
【発明の実施の形態】
以下本発明の実施の形態について、図面を参照しながら説明する。
【００１０】
（実施の形態１）
図１は、本発明の実施の形態１における給湯装置の構成図である。図１において、図４と同じ構成要素については同じ符号を用い、説明を省略する。
【００１１】
図１において、水量弁１１１は加熱器１０３から給湯回路１０５に流れる流量を制御器１０７の制御量に従って制御および閉止できる。
【００１２】
使用者はリモコン１０８で給湯装置を運転指示するため運転スイッチ１１０で運転指示を行い、お湯張り運転を行うためにお湯張りスイッチ１０４でお湯張り運転指示を行い、お湯張りの湯量をふろ湯量スイッチ１０９にて設定し、ふろ浴槽に給湯する給水栓１０６を開栓する。制御器１０７はリモコン１０８のお湯張り開始の指示時点から流量センサー１０１の流量を累積し、設定されたお湯張り湯量に達した時点で水量弁１１１の流量を１Ｌ／ｍｉｎ程度の給湯栓から目視で水の流れが確認できる程度に絞り加熱器１０３の加熱を停止させ、リモコン１０８の表示部１１２やスピーカ１１３を用いてお湯張りの完了と給水栓１０６の閉止を表示する。この時点で給湯栓１０６が閉められ流量センサー１０１の流量が「０」が確認されると即座にお湯張りの完了処理を行いリモコン１０８のお湯張り指示を停止とし水量弁１１１を通常運転時の制御開度まで開いておく。給水栓１０６が閉止されない時は、少量の通水をお湯張り設定湯量の１０％程度が通水されるまで続ける。
【００１３】
この通水量は設定湯温や設定湯量に寄って変更可能とする。この通水完了後は水量弁１１１を閉止しリモコン１０８で給湯栓１０６の閉止を強く表示する。水量弁１１１閉止後はリモコン１０８でのお湯張りスイッチ１０４によるお湯張り停止指示時点で水量弁１１１を短時間開いて通水がないことを流量センサー１０１で確認した場合にお湯張りの完了処理を行いリモコン１０８のお湯張り指示を停止とし水量弁１１１を通常運転時の制御開度まで開いておくものである。
【００１４】
以上のような構成に寄れば、お湯張り完了時に浴槽の給湯栓からは少量の通水があるために閉止操作時に通水と閉止が通水の有無によって示されるため目視や手などの肌による感覚によって通常の生活時の操作とその確認と同様に行うことが可能となる。また、制御器は給湯栓の制止操作完了時点で通水がなくなるため給湯栓の閉止操作と制御器の確認が時間遅れなく成立し、リモコンからのお湯張り完了の表示が行われることから、使用者に安心感をもたらし操作のご認識を防ぐことができる。
【００１５】
なお、本実施形態の説明においてお湯張り完了後の通水量を１Ｌ／ｍｉｎ程度としているが流量センサーの検出量等の条件により決められる流量である。また、このとき加熱器を停止しているが加熱後の湯温の安全性等の条件がそろえば運転しても構わない。さらに通水量を設定湯量の１０％程度としているがこの程度であれば一般的浴槽では溢れや湯温の低下等といった問題がないと判断しているが水温や設定温度などによって最適地は別途決められる数値である。
【００１６】
（実施の形態２）
図２は、本発明の実施の形態２における給湯装置の構成図である。
【００１７】
図２において図１と同じ構成要素については同じ符号を用い、説明を省略する。
【００１８】
実施例１と異なる構成は、流量センサー１０１の後で給湯回路を加熱器１０３側とバイパス回路１１４側に分岐し、さらに２つの給湯回路を水量弁１１１で合流して１本の給湯回路１０５に接続している。ここで水量弁１１１は加熱器１０３側の流量Ｑ１とバイパス回路１１４側の流量Ｑ２をそれぞれ個別に閉止する機能とそれぞれの流量を制御して混合させる機能を持つものである。
【００１９】
実施例１と異なる作用は、水量弁１１１は加熱器１０３からの流量Ｑ１とパイパス回路１１４の流量Ｑ２を用いて給湯を行うが、リモコン１０８の運転スイッチ１１０が運転停止を指示している時やお湯張りが完了して給湯回路に少量の通水を行う時や給湯栓１０６の閉止確認のためにお湯張りスイッチ１０４でお湯張り停止指示の後で通水確認する時には加熱器１０３側は閉止しバイパス回路１１４側を開閉するものである。
【００２０】
以上の構成によって、実施例１では加熱器が停止中に加熱器の中を通水するために加熱器の温度が下がり、再加熱時に時間がかかり加熱器から湯が出ることが遅くなるが、本実施例に寄れば加熱器は停止中の通水がないため冷却がなく再使用時の出湯性能が向上し使い勝手が向上される。さらに、実施例１では、運転停止状態で給湯栓から水を連続使用されると給水によって加熱器が長時間冷却される、このとき外気が高温高湿状態にあると加熱器との温度差から加熱器に結露が発生し、この結露水によって加熱器の耐久性能の低下がもたらされる等の問題が発生するが、加熱器側の通水を閉止することでこれらの問題の解決をはかることができる。
【００２１】
（実施の形態３）
図２を用いて、本発明の実施の形態３における給湯装置を説明する。
【００２２】
図２で給湯回路１０５の出口がふろ浴槽の給湯栓１０６のほかに給湯栓１１５があり、流量センサー１０１で測定される給湯の流量Ｑがふろ浴槽の給湯栓１０６にＱ３のほかに給湯栓１１５にＱ４に分割されて給湯されるものである。
【００２３】
制御器１０７は、お湯張り運転開始時にお湯張りスイッチ１０４でお湯張り開始を指示されふろ浴槽への給湯栓１０６が開かれるとこのときの安定した流量Ｑ３を給湯量学習値ｑとして記憶する。もしお湯張り運転中に浴槽の給湯栓１０６以外の給湯栓１１５が開き給湯量学習値ｑよりも多い量の給湯Ｑが行われるとその差Δｑ（＝Ｑｑ）の累積Σｑをリモコン１０８で設定されたふろ湯量よりも多くお湯張りするものである。
【００２４】
これによって、実施例２ではふろの給湯栓以外の給湯栓でお湯張り中にお湯を使用すると浴槽へのお湯張り量が減ってしまい入浴時に使用者が補充することになるが、ここでは不足分を制御器が補充することでふろ浴槽へのお湯張り量を確保し、使用者が快適に入浴することができる。
【００２５】
（実施の形態４）
図２を用いて、本発明の実施の形態４における給湯装置を説明する。
【００２６】
リモコン１０８で運転スイッチ１１０によって加熱器１０３の運転を指示し、給湯栓１１５を開栓して連続して通水を行う時、開栓から９０分後に加熱器１０３の加熱を停止するとともに水量弁１１１の加熱器１０３側を止水する。さらに、通水が９０分連続していた時は水量弁１１１のバイパス回路１１４側も止水することで給湯回路の通水を閉止するものである。このときリモコン１０８の表示部１１２には給湯栓閉め忘れ表示を行うものである。通常の使用に戻すにはリモコン１０８の運転スイッチ１１０で運転停止操作による。
【００２７】
給湯装置の運転を９０分以上連続することは給湯使用後に閉栓を忘れるあるいは閉栓が不完全で通水が連続していたと考えられ、容器からの溢れや漏水にいたる不慮の事故をまねく可能性があることから、これらを防ぎ快適な生活を提供することに貢献できる。
【００２８】
なおここで、判定時間を９０分としているがこれは給湯装置の性能や使用環境で変化する数値であり、実施にあたって最適地は別途決められる数値である。
【００２９】
（実施の形態５）
図２を用いて、本発明の実施の形態５における給湯装置を説明する。
【００３０】
使用者が給湯装置を使用しない、つまりリモコン１０８の運転スイッチ１１０で運転停止を指示している状態で給湯回路１０５に通水した時に、この通水が連続して９０分以上となった時点で水量弁１１１のバイパス回路１１４側も止水することで給湯回路の通水を閉止するものである。このときリモコン１０８の表示部１１２には給湯栓閉め忘れ表示を行うものである。通常の使用に戻すにはリモコン１０８の運転スイッチ１１０で運転停止操作による。
【００３１】
給湯装置を使用しない状態で給湯栓から連続して通水が９０分以上連続することは給湯使用後に閉栓を忘れるあるいは閉栓が不完全で通水が連続していたあるいは配管の漏水と考えられ、容器からの溢れや漏水にいたる不慮の事故をまねく可能性があることから、これらを防ぎ快適な生活を提供することに貢献できる。
【００３２】
なおここで、判定時間を９０分としているがこれは給湯装置の性能や使用環境で変化する数値であり、実施にあたって最適地は別途決められる数値である。
【００３３】
（実施の形態６）
図３は、本発明の実施形態６における給湯装置の構成図である。
【００３４】
図３で給湯装置と同一の世帯の給水配管１２２に給水流量センサー１１９と閉止弁１２０を接続しそれらの信号回路１２１を給水装置の制御器１０７に接続する。制御器１０７は給水流量センサー１１９の通水が連続９０分を超えると閉止弁１２０を閉止して給水配管１２２への通水を止め、リモコン１０８の表示部１１２に給水に漏水のあったことを表示する。使用者が給水配管の通水を行うにはリモコン１０８の運転スイッチ１１０を運転停止の状態から運転の状態にすることで可能となる。
【００３５】
このシステムは居住者が外出の多い集合住宅等で給水配管の漏水や給水栓の閉め忘れにより階下に被害を与えるような事故の発生しやすい状況においてその被害を最小限に防ぐことが可能となる。
【００３６】
なおここで、判定時間を９０分としているがこれは給湯装置の性能や使用環境で変化する数値であり、実施にあたって最適地は別途決められる数値である。
【００３７】
【発明の効果】
以上のように、本発明の給湯装置によれば、お湯張り完了時の給湯栓操作が通常の生活時の操作とその確認と同様に行うことが可能となり、給湯栓の閉止操作とお湯張り完了がすぐにわかり、さらに漏水や給湯栓および給水栓の閉め忘れも加熱器の停止と止水が行われることから、使用者に安心と安全を提供することができる。
【図面の簡単な説明】
【図１】本発明の実施形態１における給湯装置の構成図
【図２】本発明の実施形態２〜５における給湯装置の構成図
【図３】本発明の実施形態６における給湯装置の構成図
【図４】従来の給湯装置の構成図
【符号の説明】
１０１  流量センサー
１０３  加熱器
１０４  お湯張りスイッチ
１０６  給湯栓
１０７  制御器
１０８  リモコン
１１０  運転スイッチ
１１１  水量弁
１１２  表示部
１１４  バイパス回路
【図１】
2004170019.tif 000003
【図２】
2004170019.tif 000004
【図３】
2004170019.tif 000005
【図４】
2004170019.tif 000006